(57)【要約】 【課題】  上側の電力用導電路の端子部と下側の電力用導電路の端子部とを位置決めする。【解決手段】  ケース４０に、２つの回路構成体１０，３０を互いに略平行に且つ上下に重なるように収容され、上側の電力用導電路１２の端子部１５と下側の電力用導電路３２の端子部３６とを上下に嵌合させて接続する。ケース４０に、上下双方の端子部１５，３６が、端子１５，３６同士の嵌合方向と交差する上下方向へ変位することを規制する位置決め部５５を設けたので、複数の端子部１５，３６を一斉に位置決めすることができ、ひいては、端子部１５，３６同士を確実に接続させることができる。また、位置決め部５５は回路構成体１０，３０を収容するためのケース４０に設けたので、専用の位置決め部材が不要である。【選択図】  図９
2005295638.tif 000002
【特許請求の範囲】
【請求項１】
基板に沿わせて電力用導電路を配置してなる２つの回路構成体と、
前記２つの回路構成体を互いに略平行に且つ上下に重なるように収容するケースとを備え、
前記上側の電力用導電路の端子部と、前記下側の電力用導電路の端子部とを上下に嵌合させて接続するようにしたものであって、
前記ケースに、少なくとも一方の端子部が端子同士の嵌合方向と交差する方向へ変位することを規制する位置決め部を設けたことを特徴とする電気接続箱。
【請求項２】
前記上下双方の端子部が板状をなし、
少なくとも一方の端子部に切欠部を形成し、
前記切欠部に他方の端子部を嵌合させたことを特徴とする請求項１記載の電気接続箱。
【請求項３】
前記端子部が複数並列されており、
前記位置決め部を、隣接する端子部同士の間に介在する形態としたことを特徴とする請求項１又は請求項２記載の電気接続箱。
【請求項４】
前記位置決め部を、前記ケースを上下に貫通する孔状空間とし、
前記端子部同士の嵌合部分を前記位置決め部内に収容したことを特徴とする請求項１ないし請求項３のいずれかに記載の電気接続箱。
【発明の詳細な説明】
【技術分野】
【０００１】
本発明は、電気接続箱に関するものである。
【背景技術】
【０００２】
電気接続箱として、特許文献１に開示されているように、制御回路基板と、制御回路基板の表面側に配されて制御回路基板により制御されるスイッチング部材と、制御回路基板の裏面に沿って配されて電源に接続される電力用導電路とを備えた構成になるものが知られている。
【特許文献１】特開２００３−１６４０３９公報
【発明の開示】
【発明が解決しようとする課題】
【０００３】
この種の電気接続箱の電力用導電路は、比較的大きな電流が流れるため、幅広の金属板材などのように配置スペースを広く占める形態とならざるを得ない。そのため、電力用導電路の分岐経路の数や極数が多くなると、電力用導電路の配置スペースも大きくなり、その分、制御回路基板も大型化することになる。
【０００４】
そこで、その対策として、回路構成体を複数に分けて上下に重ねるように配置することが考えられる。この場合、電力用導電路も上下に分割されるため、上側の電力用導電路と下側の電力用導電路の双方に端子部を設け、その上下の端子部同士を接続する構造がとられることになる。
【０００５】
上側の端子部と下側の端子部は、夫々、複数ずつ設けられているため、この複数の端子同士を同時に接続させる必要があるが、同時に接続させるためには上下双方の端子部同士を正確に位置決めしなければならない。しかし、複数の端子部同士を一斉に位置決めするのは困難である。
【０００６】
本発明は上記のような事情に基づいて完成されたものであって、上側の電力用導電路の端子部と下側の電力用導電路の端子部とを位置決めできるようにすることを目的とする。
【課題を解決するための手段】
【０００７】
上記の目的を達成するための手段として、請求項１の発明は、基板に沿わせて電力用導電路を配置してなる２つの回路構成体と、前記２つの回路構成体を互いに略平行に且つ上下に重なるように収容するケースとを備え、前記上側の電力用導電路の端子部と、前記下側の電力用導電路の端子部とを上下に嵌合させて接続するようにしたものであって、前記ケースに、少なくとも一方の端子部が端子同士の嵌合方向と交差する方向へ変位することを規制する位置決め部を設けたところに特徴を有する。
【０００８】
請求項２の発明は、請求項１に記載のものにおいて、前記上下双方の端子部が板状をなし、少なくとも一方の端子部に切欠部を形成し、前記切欠部に他方の端子部を嵌合させたところに特徴を有する。
【０００９】
請求項３の発明は、請求項１または請求項２に記載のものにおいて、前記端子部が複数並列されており、前記位置決め部を、隣接する端子部同士の間に介在する形態としたところに特徴を有する。
【００１０】
請求項４の発明は、請求項１ないし請求項３のいずれかに記載のものにおいて、前記位置決め部を、前記ケースを上下に貫通する孔状空間とし、前記端子部同士の嵌合部分を前記位置決め部内に収容したところに特徴を有する。
【発明の効果】
【００１１】
＜請求項１の発明＞
端子部を端子部同士の嵌合方向と交差する方向への変位を規制する位置決め部を設けたので、複数の端子部を一斉に位置決めすることができる。また、位置決め部は回路構成体を収容するためのケースに設けたので、専用の位置決め部材が不要である。
【００１２】
＜請求項２の発明＞
端子部は、板状をなすことによって形状が簡素化されている。また、切欠部に相手側の端子部を嵌合させるようにしたので、端子部同士の嵌合構造も簡素化される。
【００１３】
＜請求項３の発明＞
隣接する端子部同士が位置決め部によって仕切られるので、専用の短絡防止手段を設けることなく、端子部同士の短絡を回避することができる。
【００１４】
＜請求項４の発明＞
位置決め部まの孔状空間内に端子部同士の嵌合部分を収容したので、端子部同士が並列する場合でも、端子部間の短絡を確実に防止することができる。
【発明を実施するための最良の形態】
【００１５】
＜実施形態１＞
以下、本発明を具体化した実施形態１を図１乃至図９を参照して説明する。本実施形態の電気接続箱は、第１回路構成体１０と第２回路構成体３０とを水平な姿勢で上下に重ねるようにしてケース４０内に収容したものである。
【００１６】
第１回路構成体１０は、略方形の支持基板１１と、この支持基板１１に沿わせて配置した第１電力用導電路１２と、後述するアッパカバー４１に取り付けられるリレー（図示せず）とを備えて構成される。第１電力用導電路１２は、肉厚の金属板材を所定形状に打ち抜いた複数のバスバーからなり、この第１電力用導電路１２には、支持基板１１を貫通してその上面（表面）側へ略直角に突出する複数のリレー用端子部１３と、支持基板１１を貫通してその上面（表面）側へ略直角に突出する複数のヒューズ用端子部１４と、支持基板１１の下面から略直角に下向きに突出する複数の音叉形端子部１５とが一体に形成されている。
【００１７】
音叉形端子部１５は、上下方向に長い帯板状（タブ状）をなし、支持基板１１の周縁のうち左側縁に沿って前後方向に所定のピッチで並列配置されている。音叉形端子部１５には、その左右方向を向いた下端縁から上方（タブ端子部３６との嵌合方向と平行な方向）へ切欠した形態の切欠部１６が形成されている。この切欠部１６の左右方向の開口幅は、下端部を除いて上から下に向かって次第に幅が広くなっていき、切欠部１６の下端の進入部１７において狭くなっている。換言すると、音叉形端子部１５における切欠部１６左右両側の部分は、下方へ片持ち状に延出する一対の挟持片１８となっている。そして、各挟持片１８の下端部における切欠部１６側の側縁は、反対側の挟持片１８側へ円弧状に膨出（突出）した形態の誘導部１９となっており、この一対の誘導部１９が切欠部１６の進入部１７を構成している。
【００１８】
また、支持基板１１の下面側には絶縁板２０が重ね合わされて固着されており、この絶縁板２０と支持基板１１との間で第１電力用導電路１２における端子部１３，１４，１５を除いた領域が挟みつけられている。この絶縁板２０には複数の貫通孔２１が形成され、この貫通孔２１には音叉形端子部１５が水平方向への変位を規制された状態で貫通されている。つまり、音叉形端子部１５は絶縁板２０から下方へ突出されている。
【００１９】
第２回路構成体３０は、略方形の制御回路基板３１と、この制御回路基板３１の下面に沿わせて配置した第２電力用導電路３２と、制御回路基板３１の上面（表面）に実装される半導体スイッチング素子３３とを備えて構成される。第２電力用導電路３２は、肉厚の金属板材を所定形状に打ち抜いた複数のバスバーからなり、この第２電力用導電路３２には、制御回路基板３１の周縁に沿ってその上面（表面）側へ略直角に突出する複数のリレー用端子部３４と、制御回路基板３１の周縁に沿ってその上面（表面）側へ略直角に突出する複数のヒューズ用端子部３５と、同じく制御回路基板３１の周縁に沿ってその上面（表面）側へ略直角に突出する複数のタブ端子部３６とが一体に形成されている。
【００２０】
タブ端子部３６は、上下方向に長い帯板状（タブ状）をなし、制御回路基板３１の周縁のうち左側縁に沿って前後方向に所定のピッチで、即ち音叉形端子部１５と対応するように並列配置されている。タブ端子部３６の上端縁は、音叉形端子部１５の下端縁に対して直角をなすように前後方向を向いている。また、タブ端子部３６の板厚寸法は、音叉形端子部１５の切欠部１６における進入部１７の開口幅（即ち、挟持片１８の誘導部１９間の間隔）と同じかそれよりも僅かに大きい寸法とされている。
【００２１】
ケース４０は、アッパカバー４１とフレーム４８と放熱板６０とを備えて構成されている。  
アッパカバー４１は、合成樹脂製であり、第１回路構成体１０と第２回路構成体３０を全周に亘って包囲する略方形の包囲壁４２と、第１回路構成体１０を上から覆う上面板４３とからなり、アッパカバー４１の内部空間は下方へ開放されている。上面板４３には、上向きの角筒状をなすリレー取付部４４が複数形成されているとともに、リレー取付部４４の内部には、その底面を貫通した第１電力用導電路１２のリレー用端子部１３が臨んでおり、リレー取付部４４に取り付けられたリレー（図示せず）がリレー用端子部１３と接続される。また、上面板４３には、その後端縁に沿うように凹状をなす複数のヒューズ取付部４５が形成されているとともに、ヒューズ取付部４５の内部には、その底面を貫通した第１電力用導電路１２のヒューズ用端子部１４が臨んでおり、ヒューズ取付部４５に取り付けられたヒューズ（図示せず）がヒューズ用端子部１４と接続される。さらに、上面板４３には、後述するワイヤーハーネス用のコネクタ４６と対応する筒状嵌合部４７が形成されている。
【００２２】
フレーム４８は、合成樹脂製であり、第２回路構成体３０を全周に亘って包囲する略方形をなす。フレーム４８を構成する前後左右の枠部のうち、フレーム４８の前側の前縁枠部４９と右側の右縁枠部５０には第２回路構成体３０のリレー用端子部３４を貫通させるための貫通孔５１が形成され、後側の後縁枠部５２には第２回路構成体３０のヒューズ用端子部３５を貫通させるための貫通孔５３が形成されている。
【００２３】
また、フレーム４８の右縁枠部５０には、タブ端子部３６と音叉形端子部１５を収容するための複数の位置決め部５５が形成されている。これらの位置決め部５５は、右縁枠部５０を上下方向、即ち音叉形端子部１５とタブ端子部３６との嵌合方向と平行な方向に貫通した形態とされ、各位置決め部５５の内部は孔状空間５６となっている。各位置決め部５５の孔状空間５６は、他の位置決め部５５の孔状空間５６とは非連通であり、したがって、前後に隣接する孔状空間５６同士は、右縁枠部５０を構成する肉によって仕切られた状態となっている。
【００２４】
各孔状空間５６は、端子部１５，３６同士の嵌合方向に見て十字形をなしており、換言すると、前後方向のスリット状をなす第１空間５７と左右方向のスリット状をなす第２空間５８とが略直角に交差した形態である。この孔状空間５６のうち左右方向の第１空間５７には上から音叉形端子部１５が嵌入され、嵌入された音叉形端子部１５は、その第１空間５７の内壁面に当接することによりフレーム４８に対して前後方向及び左右方向へ変位することが規制されるとともに、音叉形端子部１５の切欠部１６が前後方向の空間と対応する。一方、孔状空間５６における前後方向の第２空間５８には下からタブ端子部３６が嵌入され、嵌入されたタブ端子部３６は、その第２空間５８の内壁面に当接することによりフレーム４８に対して前後方向及び左右方向へ変位することが規制される。そして、この孔状空間５６（位置決め部５５）の内部では、音叉端子部の切欠部１６に対してタブ端子部３６の上端部が緊密に嵌合され、もって、第１電力用導電路１２と第２電力用導電路３２とが導通可能に接続されている。
【００２５】
また、孔状空間５６の上下両端の開口縁には、テーパ状のガイド面５９が形成されており、孔状空間５６内に音叉形端子部１５とタブ端子部３６が嵌入する際に、それらの端子部１５，３６の位置が孔状空間５６に対して僅かに位置ずれしていても、端子部１５，３６がガイド面５９に当接することにより、端子部１５，３６のフレーム４８との位置ずれが矯正され、端子部１５，３６が確実に孔状空間５６内に誘い込まれるようになっている。
【００２６】
また、フレーム４８の上面には第１回路構成体１０の絶縁板２０の周縁部が載置されており、この載置構造により、第１回路構成体１０の支持基板１１が第２回路構成体３０の制御回路基板３１に対して所定の間隔を空けて且つ互いに平行をなすように上下に重なる配置とされている。
【００２７】
尚、フレーム４８の前縁枠部の左右両端部には、上からワイヤーハーネス用のコネクタ４６が取り付けられており、このコネクタ４６の端子金具４６ａの下端部は第２回路構成体３０の制御回路基板３１に接続されている。このコネクタ４６の端子金具４６ａの上端部は、ワイヤーハーネス側のコネクタ（図示せず）及びその端子金具（図示せず）との接続に備えてアッパカバー４１の筒状嵌合部４７内に臨んでいる。
【００２８】
放熱板６０は、略方形の金属板材からなり、フレーム４８に対しその下面側の開口部を塞ぐように取り付けられている。この放熱板６０は、第２回路構成体３０の第２電力用導電路３２の下面側に対して電気的絶縁性を有し且つ熱伝導性の高い薄いシート（図示せず）を介して固着されており、第２電力用導電路３２への通電時に発生した熱が放熱板６０を介してケース４０の外部へ放出されるようになっている。
【００２９】
ケース４０を組み付けた状態では、フレーム４８の下面が放熱板６０の上面に対して防水用のシール層（図示せず）を介して固着されるとともに、フレーム４８の外周面にアッパカバー４１の包囲壁４２の内壁がほぼ密着するように嵌合される。また、アッパカバー４１の上方には、リレー、ヒューズ及びコネクタを保護するための保護カバー（図示せず）が被せられる。
【００３０】
上述のように本実施形態においては、支持基板１１に沿わせて第１電力用導電路１２を配置した第１回路構成体１０と、制御回路基板３１に沿わせて第２回路構成体３０を配置した第２回路構成体３０を、互いに略平行に且つ上下に重なるようにケース４０内に収容し、第１電力用導電路１２の音叉形端子部１５と第２電力用導電路３２のタブ端子部３６とを上下に嵌合させて接続するようにしたものであって、ケース４０のフレーム４８に、双方の端子部１５，３６が上下方向（端子１５，３６同士の嵌合方向）と交差する方向（前後左右方向）へ変位することを規制する位置決め部５５を設けたところに特徴を有している。かかる位置決め部５５を設けたことにより、複数の音叉形端子部１５と複数のタブ端子部３６とを一斉に位置決めすることができ、ひいては、複数の音叉形端子部１５と複数のタブ端子部３６を同時に（一斉に）嵌合させることができるようになっている。また、位置決め部５５は回路構成体１０，３０を収容するためのケース４０に設けたので、専用の位置決め部５５材が不要となっている。
【００３１】
また、音叉形端子部１５とタブ端子部３６をいずれも板状（タブ状）とし、音叉形端子部１５に形成した切欠部１６にタブ端子部３６を嵌合させることによって両端子部を接続している。このように双方の端子部１５，３６は、板状としたことにより形状が簡素化されている。また、一方の端子部（音叉形端子部１５）に切欠部１６を設け、ここに他方の端子部（タブ端子部３６）を嵌合させるようにしたので、端子部１５，３６同士の嵌合構造も簡素化されている。
【００３２】
また、音叉形端子部１５とタブ端子部３６は複数ずつ前後方向に近接して並列配置されているが、本実施形態では、位置決め部５５を構成する孔状空間５６同士を仕切っている肉部が、隣接する端子部同士の間に介在する形態となるので、専用の短絡防止手段を設けなくても、端子部同士の短絡を回避することができるようになっている。しかも、音叉形端子部１５とタブ端子部３６との嵌合部分が、位置決め部５５の孔状空間５６内に収容されるようにしたので、端子部間の短絡防止機能の信頼性が高い。
【００３３】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３４】
（１）上記実施形態では上下双方の端子部を雄形（板状）としたが、本発明は、雄形に限らず、一方で雄形であり他方が雌形である形態、一方が丸ピン状であり他方が円筒状である形態など、種々の嵌合形態にも適用できる。
【００３５】
（２）上記実施形態では上下双方の端子部を電力用導電路と一体に形成ししたが、本発明によれば、端子部を電力用導電路とは別体の部品としてもよい。
【００３６】
（３）上記実施形態では一方の端子部のみに切欠部を形成したが、本発明によれば、上下双方の端子部に切欠部を形成してもよい。
【００３７】
（４）上記実施形態では切欠部を端子部同士の嵌合方向と平行に延びる形態としたが、本発明によれば、切欠部及び切欠部の形成されている端子部を、端子部同士の嵌合方向と略直交する向きとしてもよい。
【００３８】
（５）上記実施形態では上下双方の端子部を位置決めしたが、本発明によれば、上下いずれか一方の端子部のみを位置決めしてもよい。
【００３９】
（６）上記実施形態では位置決め部を下側の回路構成体を包囲するフレームに設けたが、本発明によれば、上側の回路構成体を包囲するアッパカバーに位置決め部を設けてもよい。
【００４０】
（７）上記実施形態では位置決め部を貫通形態の孔状空間としたが、本発明によれば、位置決め部を、壁状、リブ状、突起状等の種々の形態としてもよい。
【００４１】
（８）上記実施形態では上側の回路構成体をスイッチング手段としてリレーを用いたものとし、下側の回路基板をスイッチング手段として半導体スイッチング素子を用いたものとしたが、本発明は、上側の回路構成体が半導体スイッチング素子を用いたものであり下側の回路構成体がリレーを用いたものである電気接続箱、上下双方の回路構成体がともにリレーを用いたものである電気接続箱、及び上下双方の回路構成体がともに半導体スイッチング素子を用いたものである電気接続箱にも適用できる。
【００４２】
（９）上記実施形態では回路構成体の数が２つである場合について説明したが、本発明は、３つ以上の回路構成体を重ねた電気接続箱にも適用できる。この場合、端子部同士が嵌合する２つの回路構成体の間に、別の回路構成体が挟まるように配置されていてもよい。
【００４３】
（１０）上記実施形態では端子部を基板の周縁に沿って配置したが、本発明によれば、基板の周縁以外の領域（基板の中央寄りの領域）に端子部を配置してもよい。この場合、基板を挟んで電力用導電路とその端子部が反対側に位置するときには、端子部が基板を貫通する形態としてもよく、端子部が基板の周縁から中央側へ延長する形態としてもよい。また、ケースには、その外枠間を連結する差し渡し部を設け、その差し渡し部に位置決め部を設ければよい。
【００４４】
（１１）上記実施形態では位置決め部の第１空間と第２空間の双方が全域に亘ってケースを上下に貫通する形態としたが、本発明によれば、音叉形端子部が上から嵌入される第１空間を上面側のみに開放された非貫通の形態としてもよく、タブ端子部が下から嵌入される第２空間についても、下面側のみに開放された非貫通の形態としてもよい。
（１２）上記実施形態において基板上の狭ピッチ部分に防湿剤を塗布してもよく、また、基板上にポッティング剤を注入してもよい。
【図面の簡単な説明】
【００４５】
【図１】分解斜視図
【図２】第１回路構成体の斜視図
【図３】ケースのフレームの斜視図
【図４】第２回路構成体の斜視図
【図５】断面図
【図６】音叉形端子部をあらわす斜視図
【図７】位置決め部をあらわす斜視図
【図８】タブ端子部をあらわす斜視図
【図９】音叉形端子部とタブ端子部との嵌合状態をあらわす拡大断面図
【符号の説明】
【００４６】
１０…第１回路構成体（上側の回路構成体）
１１…支持基板（上側の基板）
１２…第１電力用導電路（上側の電力用導電路）
１５…音叉端子部
１６…切欠部
３０…第２回路構成体（下側の回路構成体）
３１…制御回路基板（下側の基板）
３２…第２電力用導電路（下側の電力用導電路）
３６…タブ端子部
４０…ケース
５５…位置決め部
【図１】
2005295638.tif 000003
【図２】
2005295638.tif 000004
【図３】
2005295638.tif 000005
【図４】
2005295638.tif 000006
【図５】
2005295638.tif 000007
【図６】
2005295638.tif 000008
【図７】
2005295638.tif 000009
【図８】
2005295638.tif 000010
【図９】
2005295638.tif 000011